【事件の表示】
　特許第３３８５１８８号「使い捨ておむつ」の請求項１に係る特許に対する特許異議の申立てについて、次のとおり決定する。
【結　論】
　訂正を認める。
　特許第３３８５１８８号の請求項１に係る特許を維持する。
【理　由】
１．手続の経緯
　本件特許第３３８５１８８号は、平成９年９月３０日の出願に係り、平成１４年１２月２７日に設定登録がなされ、平成１５年３月１０日にその特許掲載公報が発行され、その後、奥平登志子及び菱刈純子より特許異議の申立てがなされ、取消しの理由が通知され、その指定期間内である平成１６年５月６日に特許異議意見書の提出とともに訂正請求がなされたものである。
　
２．訂正の適否についての判断
２−１．訂正の内容
　特許権者は本件特許明細書の記載を訂正明細書のとおりに訂正することを求めており、その具体的な内容は以下のとおりのものである。
Ａ．【特許請求の範囲】の【請求項１】の記載中、
「少なくとも前記折曲線の近傍と前記折曲線に平行する前記第２カフの内側縁の近傍とに前記おむつの前後方向へ延びる弾性伸縮部材が伸長状態で取り付けられている」とあるのを、
「前記折曲線の近傍に前記おむつの前後方向へ延びる第２弾性伸縮部材と、前記折曲線に平行する前記第２カフの内側縁の近傍に前記方向へ延びる第１弾性伸縮部材とがそれぞれ伸長状態で取り付けられ、前記第２弾性伸縮部材は、互いに平行する複数条の弾性伸縮部材から構成されていて、前記第１弾性伸縮部材よりも短い」と訂正する。
Ｂ．明細書の段落【０００６】の記載中、
「少なくとも前記折曲線の近傍と前記折曲線に平行する前記第２カフの内側縁の近傍とには、前記おむつの前後方向へ延びる弾性伸縮部材が伸長状態で取り付けられている。」とあるのを、
「前記折曲線の近傍に前記おむつの前後方向へ延びる第２弾性伸縮部材と、前記折曲線に平行する前記第２カフの内側縁の近傍に前記方向へ延びる第１弾性伸縮部材とがそれぞれ伸長状態で取り付けられている。前記第２弾性伸縮部材は、互いに平行する複数条の弾性伸縮部材から構成されていて、前記第１弾性伸縮部材よりも短い。」と訂正する。
　
２−２．訂正の適否
　訂正事項Ａは、訂正前の【請求項１】に係る発明を特定する、折曲線の近傍と第２カフの内側縁の近傍とに伸長状態で取り付けられる、おむつの前後方向へ延びる弾性伸縮部材を、それぞれ、「第２弾性伸縮部材」、「第１弾性伸縮部材」としたうえで、そのうちの、第２弾性伸縮部材について、「互いに平行する複数条の弾性伸縮部材から構成されていて、前記第１弾性伸縮部材よりも短い」ものと特定するもので、特許請求の範囲の減縮を目的とするものであり、当該訂正事項Ａに係る事項は、特許明細書の段落【００１１】に記載されている。
　訂正事項Ｂは、訂正事項Ａにより訂正された特許請求の範囲の記載と発明の詳細な説明の記載とを整合させるためのものであり、明りょうでない記載の釈明を目的とするものである。
　上記の訂正事項は、いずれも、訂正前の明細書に記載された範囲内の訂正であり、実質上特許請求の範囲を拡張し、又は変更するものではない。
　以上のとおりであるから、上記の訂正は、特許法第１２０条の４第２項及び同条第３項において準用する特許法第１２６条第２項及び第３項の規定に適合するので、当該訂正を認める。
　
３．特許異議の申立てについて
３−１．取消理由通知の概要
　当審が通知した取消理由の概要は、本件請求項１に係る発明は、その出願前に頒布された下記の刊行物１乃至３に記載された発明に基いて当業者が容易に発明をすることができたものであり、特許法第２９条第２項の規定により特許を受けることができないものであるから、その特許は取り消されるべきであるというものである。
刊行物１：特開平６−３０９６３号公報（異議申立人奥平登志子の提出した甲第１号証、異議申立人菱刈純子の提出した甲第１号証）
刊行物２：特開平６−２０９９６７号公報（異議申立人奥平登志子の提出した甲第３号証、異議申立人菱刈純子の提出した甲第３号証）
刊行物３：特開平８−２１５２３９号公報（異議申立人菱刈純子の提出した甲第４号証）
　
３−２．本件発明
　本件請求項１に係る発明は、訂正明細書の特許請求の範囲の請求項１に記載された事項により特定される下記のとおりのものである。
「おむつにおける体液吸収の主要部位が透液性表面シートと、不透液性裏面シートと、これら両シート間に介在する吸液性コアとで構成されており、前記おむつの両側縁部には、前記おむつの前後方向へ延び、弾性伸縮性を備えている脚周り部と、前記おむつの前後方向へ延び、前記おむつの内側へ向かって前記おむつの内面に倒伏し、前記前後方向への弾性伸縮性を備えている防漏カフとが形成されている使い捨ておむつであって、
　前記コアが、前記おむつの幅方向へ延びる前後それぞれの端縁と、前記前後方向へ延びる一対の側縁とを有し、前記側縁が、少なくとも前記前後方向の中央部位において前記コアの内側へ向かって湾曲しており、
　前記防漏カフが、前記コアの側縁から側方へ延出している前記表面シートおよび裏面シートを少なくとも一部分として含み、前記側縁と該側縁の両端部を結ぶ仮想線とによって囲まれる範囲に広がる第１カフと、前記第１カフからの前記おむつ幅方向への延長部位が前記仮想線と該仮想線の外側において該仮想線に平行する第２の仮想線とのいずれかを折曲線にして前記おむつの内面へ倒伏するように折曲されることで形成された第２カフとで構成されていて、前記折曲線の近傍に前記おむつの前後方向へ延びる第２弾性伸縮部材と、前記折曲線に平行する前記第２カフの内側縁の近傍に前後方向へ延びる第１弾性伸縮部材とがそれぞれ伸長状態で取り付けられ、前記第２弾性伸縮部材は、互いに平行する複数条の弾性伸縮部材から構成されていて、前記第１弾性伸縮部材よりも短いことを特徴とする前記おむつ。」
　
３−３．取消理由通知に提示した刊行物の記載事項
　上記刊行物１には、以下の事項が記載されている。
ａ．「液透過性のトップシートと、これに相対する液不透過性且つ蒸気透過性のバックシートと、これら両シート間に配置された吸収体とを有する吸収性本体、及び該吸収性本体が接合され且つ着用時に着用者のウエストを囲んで該吸収性本体を着用者にあてて保持する最外層シートを備え、上記最外層シートの腹側部及び背側部それぞれの両側縁部を接合固定してウエスト開口部と一対のレッグ開口部とを形成した使い捨ておむつであって、
　上記吸収体の形状は長手方向中央に凹部を有する砂時計型であり、上記吸収性本体の幅方向両側に延出するサイドフラップ部の両側縁部には、伸縮弾性部材が長手方向に亘って張設されており、該伸縮弾性部材を有する上記サイドフラップ部の両側縁部が吸収体側に折り返されて、折り返されたサイドフラップ部の長手方向両端部が上記吸収体の上方の上記トップシートの表面に接合固定されていることを特徴とする使い捨ておむつ。」（【特許請求の範囲】【請求項１】）　
ｂ．「上記最外層シートの上記レッグ開口部に、伸縮弾性部材が設けられ、該伸縮弾性部材によりレッグギャザーが形成されていることを特徴とする請求項１記載の使い捨ておむつ。」（【特許請求の範囲】【請求項２】）　　
ｃ．「請求項１に記載の使い捨ておむつは、最外層シートに吸収性本体を接合し、該吸収性本体を着用者の股下部に当て、通常の下着と同様にして着用する。着用中においては、吸収性本体のサイドフラップ部はその両側縁部に配置された伸縮弾性部材の伸縮力により該サイドフラップ部が起立されて、排泄物を保持する袋状の立体ギャザーが形成される。
　このような、袋状の立体ギャザーは、サイドフラップ部の両側縁部に伸縮弾性部材を張設し、それを折り畳んでその長手方向両端部を接合固定するだけという簡単な構成で、容易に形成することができる。」（【０００８】【作用】）
ｄ．「請求項２に記載の発明によれば、最外層シートに第２レッグギャザーを形成するものであるから、排泄物の漏れを確実に防止できる。」（【０００９】）
ｅ．【図１】及び【図２】には、おむつの前後方向へ延びる最外層シートの両側縁部が、伸縮弾性部材２４を備えたレッグ開口部７、７を構成していることが示され、【図２】〜【図６】には、サイドフラップ１８が、おむつの前後方向の中央部位において内側に向かって湾曲した凹部を有する吸収体１７（【図５】及び【図６】の「１４」は誤記と認められる）の側縁から側方へ延出しているトップシート１５及びバックシート１６を含んでおり、該サイドフラップ１８の折り返し部が、吸収体１７の側縁の両端部を結ぶ仮想線の近傍（【図２】）、或いは該仮想線の外側において該仮想線と平行する線上（【図４】）にあり、サイドフラップ１８は、該折返し部によって、それより吸収体側縁側の部分と、そこからおむつ内面へ倒伏されるように折り返される部分とに区分されることが示されている。
　上記の記載によれば、刊行物１には、
「おむつにおける吸収性本体が液透過性のトップシートと、液不透過性のバックシートと、これら両シート間に介在する吸収体とを有しており、前記おむつの両側縁部には、前記おむつの前後方向へ延び、弾性伸縮性を備えている最外層シートで形成されたレッグ開口部と、前記おむつの前後方向へ延び、前記おむつの内側へ向かって前記おむつの内面に倒伏し、前記前後方向への弾性伸縮性を備えているサイドフラップとが形成されている使い捨ておむつであって、
　前記吸収体が、おむつの前後方向の中央部位に凹部を有する砂時計型であり、
　前記サイドフラップが、前記吸収体の側縁から側方へ延出している前記トップシートおよびバックシートを少なくとも一部分として含み、前記吸収体の側縁と該側縁の両端部を結ぶ仮想線とによって囲まれる範囲に広がるサイドフラップ部分と、該部分からの前記おむつ幅方向への延長部位が前記仮想線と該仮想線の外側において該仮想線に平行する線とのいずれかを折曲線にして前記おむつの内面へ倒伏するように折曲されることで形成された部分とで構成されていて、前記折曲線に平行する内面に倒伏された部分の内側縁の近傍に前記おむつの前後方向へ延びる弾性伸縮部材が張設されていることを特徴とする前記おむつ。」
が記載されているということができる。
　上記刊行物２には、幼児用のおむつのような吸収用品の縦方向に延び、内縁３６と外縁３８とを有し、内縁３６とＣ字折りされた縦方向両端縁が吸収用品の身体側ライナに結合され、外縁３８がフラップ弾力材４０によって弾性力を付与された「閉込めフラップ３４」に関して、上記Ｃ字折り形態に形成されたときの折り線４８に位置するように第２の組の弾力材である折り線フラップ弾力材５２を具備する例について、折り線フラップ弾力材５２は閉込めフラップ３４が比較的大きい幅を有しているときに使用するのに特に適していること、弾力材の１またはそれ以上の個々のストランドからなり、例えば、複数の弾力材ストランドを空間的に分離し、概ね平行な配列に構成することが可能であることが記載され［第１２欄第２７〜３７行の記載参照］、図１２、１３には閉込めフラップ３４の折り線４８近傍に２本の折り線フラップ弾力材５２が示されている。
　上記刊行物３には、使い捨ておむつのような使い捨て体液処理用品に関して［第１欄第２２〜２３行の記載参照］、透液性表面シートと不透液性裏面シートとの間に吸液性コアが介在し、該コアの左右各側縁から水平方向に延出する左右一対の第１フラップを有する用品本体の左右各側縁部上面に、該上面からの起立性向を備え、前記本体の前後方向に延びる左右一対の伸縮性第２フラップを有し、前記第２フラップを前記上面にその前後方向に延びる接合線によって固着した基端部とそれに並行する自由縁部との間で前記本体幅方向断面がジグザグ形状を画くように前記本体の内側とそれから離間した外側とにおいて交互に折曲して重ね、かつ、それによって並列する前記内側の各折曲線は重なり合うことがないように相対的に上方に位置するものを前記外側へ順次ずらし、該折曲線の各々に沿って弾性伸縮部材を伸長状態で前記第２フラップに貼着するとともに、前記外側へずらした弾性伸縮部材は外側に位置するものほどその両端部を前記本体の端縁に近づけて実質的にその上面に固定すること［第２欄第５〜２３行の記載参照］、及び、その場合、各伸縮部材の両端部の間隔は本体の外側に位置するものほど広くなるから、用品が上に向かって広がるように湾曲すると、本体内側の伸縮部材が相対的に下方に位置し、外側の伸縮部材がそれよりも上方に位置する結果、ジグザグ形状に折り重ねた第２フラップは、本体の内側に向かって開口する複数のポケットを形成すること［第２欄第２５〜３７行の記載参照］等が図面とともに記載されている。
　
３−４．対比・判断
　本件請求項１に係る発明と上記刊行物１に記載された発明とを対比すると、後者における「吸収性本体」、「液透過性のトップシート」、「液不透過性のバックシート」、「吸収体」、「レッグ開口部」、「サイドフラップ」は、前者における「体液吸収の主要部位」、「透液性表面シート」、「不透液性裏面シート」、「吸液性コア」、「脚周り部」、「防漏カフ」に相当し、後者において「長手方向中央に凹部を有する砂時計型であり」ということは、前者でいう「おむつの幅方向へ延びる前後それぞれの端縁と、前記前後方向へ延びる一対の側縁とを有し、前記側縁が、少なくとも前記前後方向の中央部位において前記コアの内側へ向かって湾曲しており」ということになり、後者でいう「張設」は「伸長状態で取り付ける」ことであるので、後者においてサイドフラップを構成する、砂時計型の吸収体の側縁と該側縁の両端部を結ぶ仮想線とによって囲まれる範囲に広がる部分を「第１カフ」と、該部分から前記おむつ幅方向への延長部位が前記仮想線あるいは該仮想線の外側において該仮想線に平行する第２の仮想線とを折曲線にして前記おむつの内面へ倒伏するように折曲されることで形成された部分を「第２カフ」と称すれば、両者は、
「おむつにおける体液吸収の主要部位が透液性表面シートと、不透液性裏面シートと、これら両シート間に介在する吸液性コアとを有しており、前記おむつの両側縁部には、前記おむつの前後方向へ延び、弾性伸縮性を備えている最外層シートで形成された脚周り部と、前記おむつの前後方向へ延び、前記おむつの内側へ向かって前記おむつの内面に倒伏し、前記前後方向への弾性伸縮性を備えている防漏カフとが形成されている使い捨ておむつであって、
　前記コアが、前記おむつの幅方向へ延びる前後それぞれの端縁と、前記前後方向へ延びる一対の側縁とを有し、前記側縁が、少なくとも前記前後方向の中央部位において前記コアの内側へ向かって湾曲しており、
　前記防漏カフが、前記コアの側縁から側方へ延出している前記表面シートおよび裏面シートを少なくとも一部分として含み、前記吸収体の側縁と該側縁の両端部を結ぶ仮想線とによって囲まれる範囲に広がる第１カフと、前記第１カフからの前記おむつ幅方向への延長部位が前記仮想線と該仮想線の外側において該仮想線に平行する第２の仮想線とのいずれかを折曲線にして前記おむつの内面へ倒伏するように折曲されることで形成された第２カフとで構成されていて、前記折曲線に平行する前記第２カフの内側縁の近傍に前後方向へ延びる弾性伸縮部材が伸長状態で取り付けられている前記おむつ。」
である点で一致しており、前者において、上記折曲線に平行する前記第２カフの内側縁の近傍に前後方向へ延びる弾性伸縮部材である第１弾性伸縮部材とともに折曲線の近傍におむつの前後方向へ延びる第２弾性伸縮部材が伸長状態で取り付けられ、前記第２弾性伸縮部材は、互いに平行する複数条の弾性伸縮部材から構成されていて、前記第１弾性伸縮部材よりも短いとされているのに対し、後者においては、前者における第２弾性伸縮部材に相当する伸縮弾性部材は取り付けられていない点で相違している。
　そこで上記の相違点について検討すると、
上記刊行物２及び３には、本件請求項１に係る発明の「防漏カフ」に相当する「閉込めフラップ３４」あるいは「伸縮性第２フラップ」を幅方向に折曲し、その折曲線の近傍におむつの前後方向へ延びる（第２の）弾性伸縮部材を伸長状態で取り付けることが記載されており、刊行物２には、上記（第２の）弾性伸縮部材は、閉じ込めフラップの幅が比較的広いときに適用されること及び複数のストランドを平行に配列して構成されること等が示され、刊行物３には、折曲線に沿って取り付けられる弾性伸縮部材の両端部の間隔が外側に位置するものほど広いとされ、内方の折曲線における弾性伸縮部材は、本件発明の第１弾性伸縮部材に相当する自由縁部における（第１の）伸縮弾性部材よりも短いことが示唆されているものと認められるが、上記「閉込めフラップ３４」及び「伸縮性第２フラップ」のいずれも、本件請求項１に係る発明の「防漏カフ」のように、「コアの側縁から側方へ延出している表面シートおよび裏面シートを少なくとも一部分として含み、コアの側縁と該側縁の両端部を結ぶ仮想線とによって囲まれる範囲に広がる第１カフと、前記第１カフからのおむつ幅方向への延長部位が前記仮想線あるいは該仮想線の外側において該仮想線に平行する第２の仮想線を折曲線にして前記おむつの内面へ倒伏するように折曲されることで形成された第２カフとで構成されて」いるものではなく、そのため、本件請求項１に係る発明の「防漏カフ」や、刊行物１に記載された「第２カフ」のようにコアの湾曲した側縁によりその形状や挙動が規制されるものでもないので、それらの折曲線近傍に本件請求項１に係る発明の「第２弾性伸縮部材」と同様の弾性伸縮部材が配され、その構成の一部において、たまたま本件請求項１に係る発明の「第２弾性伸縮部材」と共通するところがあったとしても、その技術的意義は全く異なるものであり、これを刊行物１に記載された発明に適用して本件請求項１に係る発明の構成となすことを、予測させるものは何もない。
　そして本件請求項１に係る発明は、上記のような、コアの側縁から側方へ延出している表面シートおよび裏面シートを少なくとも一部分として含み、コアの側縁と該側縁の両端部を結ぶ仮想線とによって囲まれる範囲に広がる第１カフと、前記第１カフからのおむつ幅方向への延長部位が前記仮想線あるいは該仮想線の外側において該仮想線に平行する第２の仮想線を折曲線にして前記おむつの内面へ倒伏するように折曲されることで形成された第２カフとで構成されている「防漏カフ」の折曲線の近傍に、互いに平行する複数条の弾性伸縮部材から構成されていて、第１弾性伸縮部材よりも短い第２弾性伸縮部材を伸長状態で取り付けることにより、上記刊行物１乃至３の記載からは予測し得ない作用・効果を奏するものと認められる。
　したがって、本件請求項１に係る発明は、上記刊行物１乃至３に記載された発明に基いて当業者が容易に発明をすることができたものということはできない。
　
４．異議申立人の主張
　異議申立人奥平登志子は、上記刊行物１及び２の他に、甲第２号証（特開平７−２８９５８３号公報）及び甲第４号証（特開平７−２８９５８４号公報）を提示し、本件請求項１に係る発明が特許法第２９条第２項の規定により特許を受けることができないこと、及び本件明細書の記載は【特許請求の範囲】に記載された「第２の仮想線」について【発明の詳細な説明】に何ら説明されていないので本件請求項１に係る発明は【発明の詳細な説明】に記載された発明とはいえないので特許法３６条第６項第１号に規定する要件を満たしていないことを理由に本件請求項１に係る特許を取り消すべき旨を主張しているが、上記甲第２号証及び甲第３号証のいずれにも、上記「３−４．対比・判断」の項で述べた相違点に係る事項は記載も示唆もされておらず、また、本件請求項１に係る発明の「第２の仮想線」が、コアの側縁の両端部を結ぶ仮想線の外側において該仮想線に平行する仮想線であることは、明細書及び図面の記載から明らかであるので、上記異議申立人の主張はいずれも理由がない。
　また、異議申立人菱刈純子は、上記刊行物１乃至３の他に、甲第２号証（特開平９−１１７４７２号公報）を提示し、本件請求項１に係る発明が特許法第２９条第２項の規定により特許を受けることができない旨を主張しているが、上記甲第２号証にも、上記「３−４．対比・判断」の項で述べた相違点に係る事項は記載も示唆もされていない。さらに、異議申立人は、上記刊行物２及び３に記載されたような防漏カフの途中に第２の弾性伸縮部材を配して起立を促すという技術思想を刊行物１に記載されたおむつに適用する際に、防漏カフがトップシートやバックシートとは別の部材で構成されることや防漏カフの基端部の位置は、阻害要因とはならない旨も主張しているが、刊行物１に記載された「第２カフ」が、材質や基点の点で刊行物２及び３に記載された「閉込めフラップ３４」及び「伸縮性第２フラップ」と相違しているのみならず、コアとの関係において、形状や挙動が特定され、そのことによって、上記刊行物１乃至３の記載からは予測し得ない作用・効果を奏するものと認められるるものであることは上記「３−４．対比・判断」の項で述べた通りであるので、上記異議申立人の主張も採用できない。
　
５．むすび
　以上のとおりであるから、特許異議申立ての理由及び証拠によっては、本件請求項１に係る特許を取り消すことはできない。
　また、他に本件請求項１に係る特許を取り消すべき理由を発見しない。
　よって、結論のとおり決定する。                      　
【異議決定日】
平成１６年６月１０日（２００４．６．１０）
【訂正の要旨】
審決（決定）の【理由】欄参照。
（５４）【発明の名称】
使い捨ておむつ
（５７）【特許請求の範囲】
　【請求項１】　おむつにおける体液吸収の主要部位が透液性表面シートと、不透液性裏面シートと、これら両シート間に介在する吸液性コアとで構成されており、前記おむつの両側縁部には、前記おむつの前後方向へ延び、弾性伸縮性を備えている脚周り部と、前記おむつの前後方向へ延び、前記おむつの内側へ向かって前記おむつの内面に倒伏し、前記前後方向への弾性伸縮性を備えている防漏カフとが形成されている使い捨ておむつであって、
　前記コアが、前記おむつの幅方向へ延びる前後それぞれの端縁と、前記前後方向へ延びる一対の側縁とを有し、前記側縁が、少なくとも前記前後方向の中央部位において前記コアの内側へ向かって湾曲しており、
　前記防漏カフが、前記コアの側縁から側方へ延出している前記表面シートおよび裏面シートを少なくとも一部分として含み、前記側縁と該側縁の両端部を結ぶ仮想線とによって囲まれる範囲に広がる第１カフと、前記第１カフからの前記おむつ幅方向への延長部位が前記仮想線と該仮想線の外側において該仮想線に平行する第２の仮想線とのいずれかを折曲線にして前記おむつの内面へ倒伏するように折曲されることで形成された第２カフとで構成されていて、
前記折曲線の近傍に前記おむつの前後方向へ延びる第２弾性伸縮部材と、前記折曲線に平行する前記第２カフの内側縁の近傍に前記方向へ延びる第１弾性伸縮部材とがそれぞれ伸長状態で取り付けられ、前記第２弾性伸縮部材は、互いに平行する複数条の弾性伸縮部材から構成されていて、前記第１弾性伸縮部材よりも短い
【発明の詳細な説明】
　【０００１】
　【発明の属する技術分野】
　この発明は、使い捨ておむつに関する。
　【０００２】
　【従来の技術】
　特開平７−２８９５８４号公報に開示のおむつは、おむつ内面からの起立性向を有する防漏カフを備えている。このカフは、ほぼ三日月形の伸縮性シートであって、おむつの長手方向へ伸長され、円弧部分がおむつ内面の長手方向に接合されている。かかるおむつによれば、股下域で丈が高く、胴周り開口近傍で丈の低いカフを形成することができる。このようなカフを備えたおむつは、胴周りの開口近傍で嵩張ることがなく、着用するのに好ましいものである。
　【０００３】
　【発明が解決しようとする課題】
　前記公知技術のおむつは、三日月形のカフを取り付けるべきおむつの本体部分を予め湾曲させておかなければ、そのカフを取り付けることができない。おむつをそのように湾曲させながらカフを取り付ける工程は、おむつの生産速度を高めるうえで障害となる。また、カフに伸縮性シートを使用することは、材料コストを高める一因となる。
　【０００４】
　この発明は、前記公知技術の如きカフを有するおむつにおいてのこれら問題を解消することを課題にしている。
　【０００５】
　【課題を解決するための手段】
　前記課題を解決するために、この発明が前提とするのは、おむつにおける体液吸収用の主要部位が透液性表面シートと、不透液性裏面シートと、これら両シート間に介在する吸液性コアとで構成されており、前記おむつの両側縁部には、前記おむつの前後方向へ延び、弾性伸縮性を備えている脚周り部と、前記おむつの前後方向へ延び、前記おむつの内側へ向かって前記おむつの内面に倒伏し、前記前後方向への弾性伸縮性を備えている防漏カフとが形成されている使い捨ておむつである。
　【０００６】
　かかる前提において、この発明が特徴とするところは、前記おむつを次のように構成することにある。すなわち、前記コアが、前記おむつの幅方向へ延びる前後それぞれの端縁と、前記前後方向へ延びる一対の側縁とを有し、前記側縁が、少なくとも前記前後方向の中央部位において前記コアの内側へ向って湾曲している。前記防漏カフが、前記コアの側縁から側方へ延出している前記表面シートおよび裏面シートを少なくとも一部分として含み、前記側縁と該側縁の両端部を結ぶ仮想線とによって囲まれる範囲に広がる第１カフと、前記第１カフからの前記おむつ幅方向への延長部位が前記仮想線と該仮想線の外側において該仮想線に平行する第２の仮想線とのいずれかを折曲線にして前記おむつの内面へ倒伏するように折曲されることによって形成された第２カフとで構成されている。
前記折曲線の近傍に前記おむつの前後方向へ延びる第２弾性伸縮部材と、前記折曲線に平行する前記第２カフの内側縁の近傍に前記方向へ延びる第１弾性伸縮部材とがそれぞれ伸長状態で取り付けられている。前記第２弾性伸縮部材は、互いに平行する複数条の弾性伸縮部材から構成されていて、前記第１弾性伸縮部材よりも短い。
　【発明の詳細な説明】
　【０００７】
　【発明の実施の形態】
　添付の図面を参照して、この発明に係る使い捨ておむつの詳細を説明すると、以下のとおりである。
　【０００８】
　図１，２，３は、おむつ１の部分破断平面図と、そのＩＩ−ＩＩ線およびＩＩＩ−ＩＩＩ線切断面を示す図である。これらの図において、おむつ１は、幅方向中央部に位置するおむつ本体２と、本体２の両側部から側方へ延出するフラップ３とで構成されている。
　【０００９】
　おむつ本体２は、透液性表面シート６と、不透液性裏面シート７と、これら両シート６，７間に介在する吸液性コア８とを有している。図１では、コア８の外形線の大部分が鎖線で示されている。この図から明らかなように、コア８は、前後端縁１１，１２と、両側縁１３とを有し、側縁１３がコア４の内側へ向かって湾曲している。その側縁１３の両端部１６，１７を結ぶ仮想線と側縁１３との離間距離は、側縁１３の中央部において５〜４０ｍｍの範囲にあることが好ましい。
　【００１０】
　表裏面シート６，７は、コア８の端縁１１，１２と側縁１３とから延出する部分で重なり合い、ホットメルト接着剤（図示せず）を介して互いに接合している。一体となったこれらシート６，７が、コア８の側縁１３から延出している部分は、側縁１３の前後両端部１６，１７を結ぶ仮想線を折曲線１８として、表面シート６を内側にして折曲され、本体２の内面に倒伏している。これらシート６，７の側縁１３と折曲線１８とで囲まれる部位が第１防漏カフ２１を形成し、本体２に倒伏している部位が第２防漏カフ２２を形成し、これら第１，２防漏カフ２１と２２とで本体２の防漏カフ２５を形成している。第２防漏カフ２２は、コア８の前後端縁１１，１２よりも外に位置している前端部２３と後端部２４とが、接着剤（図示せず）を介して本体２の内面に接合している。第２防漏カフ２２は、折曲線１８に平行して前後方向へ延びる内側縁２６を有する。
　【００１１】
　第１，２防漏カフ２１，２２からなる防漏カフ２５は、内側縁２６に沿って前後端部２３，２４間に延びる第１弾性伸縮部材２７と、折曲線１８に沿って前後端部２３，２４間の中央部に位置していて、第１弾性伸縮部材２７よりも短い第２弾性伸縮部材２８とを有し、これら第１，２弾性伸縮部材２７，２８が伸長状態で表裏面シート６，７の少なくとも一方の内面に接合している。第１弾性伸縮部材２７は、内側縁２６に平行であることが好ましい。第２弾性伸縮部材２８は折曲線１８に沿って前後方向へ延びていればよく、折曲線１８に平行である他に、多少湾曲していたり屈曲していたりしてもよい。かかる第２弾性伸縮部材２８は、互いに平行する複数条の弾性伸縮部材で構成することもできる。
　【００１２】
　フラップ３は、第１防漏カフ２１の動きを拘束することがないように内側縁部３１の内面がホットメルト接着剤３２を介してコア８の両側縁１３とその延長線の間よりも内側の範囲において本体２の側部外面に接合している。フラップ３の外側縁部３３は、おむつ着用者の胴周りと脚周りとを覆うことができるように、前後のウイング部３４，３６と、これら両ウイング部３４，３６間に位置する脚周り湾曲部３７とで構成されている。後ウイング３６の胴周り方向と湾曲部３７の脚周り方向とには、胴周り弾性伸縮部材４１と脚周り弾性伸縮部材４２とが伸長状態で接合している。図示例の弾性伸縮部材４１，４２は、フラップ３の内面に露出していて肌に触れる状態にあるが、フラップ３を２枚のシートの積層体にして、それらシートの少なくとも一方の内面に接合することで、弾性伸縮部材４１，４２が直接肌に触れることを防ぐこともできる。後ウイング３６の側縁部には、前ウイング３４の外面に着脱可能なテープファスナ３８が取り付けられている。
　【００１３】
　図４は、図１のおむつが着用されるときの状態を示す斜視図であって、おむつの前後方向が表面シート６を内側にして湾曲している。おむつがこのように湾曲すると、防漏カフ２５は、第１，２弾性伸縮部材２７，２８それぞれが収縮して、第１防漏カフ２１がコア８の側縁１３を基端にしてフラップ３の内面から起立し、第２防漏カフ２２が本体２の内面から起立して、全体としてほぼ三日月形の大きな防漏壁を形成する。かかる状態にある防漏カフ２５の高さは、コア８の側縁１３から第２防漏カフ２２の内側縁２６までの距離であり、この距離は、本体２の前後方向の中央域（股下域）で最も大きく、コア８の前後端縁１１，１２へ近づくにつれて小さくなる。かかる防漏カフ２５は、着用したおむつが下がったときに生じる着用者の身体とおむつとの間隙からの体液の漏れを効果的に防止することができる。
　【００１４】
　このようなおむつにおいて、表面シート６には、不織布や開孔プラスチックシートを使用することができ、裏面シート７にはプラスチックシートを使用することができる。コア８には、粉砕パルプや粉砕パルプと高吸収性ポリマーとの混合物を使用することができる。フラップ３には、不織布やプラスチックシート、これらの積層体を使用することができる。フラップ３のこれらの素材は、疎水性のものでも親水性のものでもよいが、いずれにせよ通気性と液透過性とを備えていることが好ましい。おむつの各部材を接合するには、ホットメルト接着剤等の接着剤の他に、部材が熱溶融性のものであれば、溶着技術を利用することもできる。
　【００１５】
　図示例で表裏面シート６，７の積層体として示された防漏カフ２５は、コア８の側縁１３近傍のみを表裏面シート６，７の積層体として、残余の部位を裏面シート７のみで構成したり、表裏面シート６，７とは異なる適宜の防水性シートに代えたりすることができる。フラップ３は、本体２の側部それぞれに接合している一対のものに代えて、一枚のシートからなる砂時計型のものにし、そのシートの中央部位内面に本体２を接合してこの発明を実施することもできる。
　【００１６】
　【発明の効果】
　この発明に係る使い捨ておむつでは、内側へ湾曲しているコアの側縁に沿っておむつ内面から起立する防漏カフが、股下域で特に丈が高く、胴周り域で丈が低くなるから、かかる形状の防漏カフを従来技術のように別部材として用意することが不要となり、そうした部材による製造コストの上昇を抑えることが可能になる。
【図面の簡単な説明】
　【図１】
　おむつの部分破断平面図。
　【図２】
　図１のＩＩ−ＩＩ線切断面を示す図。
　【図３】
　図１のＩＩＩ−ＩＩＩ線切断面を示す図。
　【図４】
　湾曲しているおむつの斜視図。
　【符号の説明】
　６　　表面シート
　７　　裏面シート
　８　　コア
　１１，１２　　端縁
　１３　　側縁
　１６，１７　　端部
　１８　　折曲線
　２１　　第１カフ
　２２　　第２カフ
　２５　　防漏カフ
　２７，２８　　弾性伸縮部材
　３７　　脚周り湾曲部（脚周り部）